(57)【要約】  本発明は、撮像装置及び検査ボリューム７を収容するフレーム１を含む医療用撮像システムに関する。システムは、更に、患者支持部材１３と、前記検査ボリュームに出入りする第１の水平方向Ｘで前記フレームに対して前記患者支持部材を移動させる第１の移動装置３１と、前記第１の水平方向を横断する第２の水平方向Ｙで前記フレームに対して前記患者支持部材を移動させる第２の移動装置３３とを含む。患者支持部材は、前記フレームに設けられる第２の結合部材２１に結合することができる第１の結合部材１９を含む可動キャリア１５に設けられる。本発明によれば、第２の移動装置３３は、フレーム１に設けられ、前記第２の水平方向Ｙで前記フレームに対して第２の結合部材２１を移動させる。
2005508692.tif 000002
【特許請求の範囲】
【請求項１】
撮像装置及び検査ボリュームを収容するフレームを含み、患者支持部材と、前記検査ボリュームに出入りする第１の水平方向で前記フレームに対して前記患者支持部材を移動させる第１の移動装置と、前記第１の水平方向を横断する第２の水平方向で前記フレームに対して前記患者支持部材を移動させる第２の移動装置とを更に含み、前記患者支持部材が、第１の結合部材を含む可動キャリアに設けられ、可動キャリアは、前記第１の結合部材により、前記フレームに設けられる第２の結合部材に結合することができる、医療用撮像システムであって、
前記第２の移動装置は、前記フレームに設けられ、前記第２の水平方向で前記フレームに対して前記第２の結合部材を移動させることを特徴とする、医療用撮像システム。
【請求項２】
前記キャリアは、転がり部材により可動とされる、請求項１記載の医療用撮像システム。
【請求項３】
前記システムは、磁気共鳴撮像システムであり、前記フレームは、前記検査ボリュームを間に画成する下側のコイルシステムハウジングと上側のコイルシステムハウジングとを含み、前記第２の結合部材及び前記第２の移動装置は、前記下側のコイルシステムハウジングに設けられる、請求項１記載の医療用撮像システム。
【請求項４】
前記システムは、ガイド部材を含み、該ガイド部材は、前記検査ボリューム内に存在し、前記第２の結合部材に搭載され、前記第１の水平方向に延在して前記検査ボリューム内で前記患者支持部材を案内及び支持する、請求項２記載の医療用撮像システム。
【請求項５】
前記ガイド部材は、前記下側のコイルシステムハウジングを跨ぐ橋型の更なるキャリアに搭載され、該橋型の更なるキャリアは、前記第２の結合部材に搭載及び支持される第１の脚部と、前記下側のコイルシステムハウジングの前記第２の結合部材が存在する側とは反対側で転がり部材により支持される第２の脚部とを含む、請求項３記載の医療用撮像システム。
【請求項６】
前記ガイド部材は、前記下側のコイルシステムハウジングを跨ぐ橋型の更なるキャリアに搭載され、該橋型の更なるキャリアは、前記第２の結合部材に搭載及び支持される第１の脚部と、前記下側のコイルシステムハウジングの前記第２の結合部材が存在する側とは反対側に存在し、前記下側のコイルシステムハウジングの下方に延在する接続部材により前記第１の脚部に接続される第２の脚部とを含む、請求項３記載の医療用撮像システム。
【発明の詳細な説明】
【発明の詳細な説明】
【０００１】
本発明は、撮像装置及び検査ボリュームを収容するフレームを含み、患者支持部材と、前記検査ボリュームに出入りする第１の水平方向で前記フレームに対して前記患者支持部材を移動させる第１の移動装置と、前記第１の水平方向を横断する第２の水平方向で前記フレームに対して前記患者支持部材を移動させる第２の移動装置とを更に含み、前記患者支持部材が、第１の結合部材を含む可動キャリアに設けられ、可動キャリアは、前記第１の結合部材により、前記フレームに設けられる第２の結合部材に結合することができる、医療用撮像システムに関する。
【０００２】
冒頭部に述べた種の医療用撮像システムは、一般的に知られている。公知の医療用撮像システムの一例は、磁気共鳴撮像システムであり、これにより、核磁気共鳴方法を用いて患者の内臓の画像が生成される。公知の磁気共鳴撮像システムの撮像装置は、患者が載置される検査ボリューム内に可変磁場及び無線周波数信号を生成し、コイルシステムにより生成される無線周波数信号に応答して患者の身体により生成される無線周波数信号を受信する電気コイルシステムを含む。患者支持部材は水平ベッドであり、患者支持部材が上に載置される可動キャリアはトロリーである。患者支持部材は、可動キャリアに設けられるので、患者が横になっている患者支持部材は、例えば、撮像システムから準備室若しくはその他の医療検査若しくは処置装置へと移動できる。結合手段によって、可動キャリアは、フレームに機械的に結合でき、可動キャリアに設けられる患者支持部材が、フレーム及び撮像装置に対して安定した位置に至らせられる。結合手段は、また、可動キャリアと撮像装置との間の電気的な接続を含み、可動キャリアに設けられ可動キャリアの電気システムに給電するバッテリが充電でき、可動キャリアの電気的メモリ内に格納される患者に関する情報が、可動キャリアと撮像装置との間で交換できる。可動キャリアの結合状態では、患者が横になっている患者支持部材は、第１の水平方向で、第１の移動装置により可動キャリアに対して、且つ、可動キャリアが結合されているフレームに対して、移動されることができ、患者は、検査ボリューム内に移動され、検査後、検査ボリューム内から出される。第２の移動装置も、可動キャリアに設けられ、可動キャリアの結合状態で、患者は第２の水平方向でフレーム及び撮像装置に対して移動できる。これは、撮像装置に対して正確な位置に、検査される患者の身体の部分を至らせるために、しばしば必要である。
【０００３】
公知の医療用撮像システムの欠点は、特に肥満症の患者の場合、患者支持部材及びその上に横たわる患者が第２の水平方向に可動キャリアに対して移動されるとき、患者支持部材及びその上に横たわる患者の重心が、第２の水平方向に見て、可動キャリアの車輪に近づき、これにより、可動キャリアの安定性が著しく減少し、可動キャリアがひっくり返りうることである。その結果、患者支持部材が第２の方向に移動できる距離は、制限されている。
【０００４】
本発明の目的は、公知の医療用撮像システムの欠点を有さない冒頭の段落に述べた種の医療用撮像システムを提供することである。
【０００５】
上記目的を達成するため、本発明による医療用撮像システムは、前記第２の移動装置が、前記フレームに設けられ、前記第２の水平方向で前記フレームに対して前記第２の結合部材を移動させることを特徴とする。本発明による医療用撮像システムでは、第２の水平方向での患者支持部材のフレームに対する移動は、第２の結合部材を、それに機械的に結合された患者支持部材及び可動キャリアと共に移動させることによって可動キャリアの結合状態で実現できる。その結果、患者支持部材は、比較的大きな距離に亘って第２の水平方向で安定した態様で移動されることができる。本発明による医療用撮像システムの更なる有利な点として、特に、少なくとも２つの可動キャリアを備え、それぞれが、フレームに選択的に結合できる別個の患者支持部材を備えるようなシステムにおいて、可動キャリアは、第２の移動装置を収容しないので比較的簡易な構造を有することである。
【０００６】
本発明による医療用撮像システムの特定の実施例は、前記キャリアが転がり部材により可動とされる点で特徴付けられる。転がり部材は、第２の水平方向に可動キャリアを移動させるために結合手段を介して可動キャリアに力が負荷される時、可動キャリア及びその上に設けられる患者支持部材に対して安定的な支持を提供する。
【０００７】
本発明による医療用撮像システムの更なる実施例は、前記システムは、磁気共鳴撮像システムであり、前記フレームは、前記検査ボリュームを間に画成する下側のコイルシステムハウジングと上側のコイルシステムハウジングとを含み、前記第２の結合部材及び前記第２の移動装置は、前記下側のコイルシステムハウジングに設けられることを特徴とする。この更なる実施例では、医療用撮像システムは、所謂開放型の磁気共鳴撮像システムであり、そこでは、検査ボリュームは、下側のコイルシステムハウジングと上側のコイルシステムハウジングによって鉛直方向で境界付けられ、また、検査ボリュームが水平面の大部分で開放している。本発明は、開放型の磁気共鳴撮像装置に対して特に好適である、というのは、開放した検査ボリュームは、検査ボリューム内で第２の水平方向の比較的大きな患者の移動量を可能とするからである。その結果、比較的狭い円筒状の検査ボリュームを有する所謂閉塞型の磁気共鳴撮像装置に比して、患者の身体を撮像装置に対してより正確な位置に持ってくることができる。第２の結合部材及び第２の移動装置は、下側のコイルシステムが可動キャリアに比較的近いので、下側のコイルシステムハウジング内に設けられる。
【０００８】
本発明による医療用撮像システムの更なる実施例は、前記システムが、ガイド部材を含み、該ガイド部材は、前記検査ボリューム内に存在し、前記第２の結合部材に搭載され、前記第１の水平方向に延在して前記検査ボリューム内で前記患者支持部材を案内及び支持することを特徴とする。患者支持部材が第１の水平方向で検査ボリューム内に移動された時、可動キャリアのガイド及び支持機能が、ガイド部材により引き継がれる。ガイド部材は、第２の結合部材に搭載されるので、ガイド部材は、第２の結合部材に結合される可動キャリアと共に第２の水平方向に第２の移動装置によって移動され、ガイド部材が、常に可動キャリアに対して正確な位置、即ち可動キャリア上の患者支持部材に対する別のガイド部材と整合する位置に維持されるようにする。その結果、患者支持部材は、第２の水平方向に見て第２の結合部材の考えられる各位置で、第２の結合部材に結合され、次いで、検査ボリューム内に移動されることができ、また、患者支持部材は、第２の水平方向に見て第２の結合部材の考えられる各位置で、検査ボリュームから出され、次いで、第２の結合部材から離脱されることができる。
【０００９】
本発明による医療用撮像システムの特定の実施例は、前記ガイド部材が、前記下側のコイルシステムハウジングを跨ぐ橋型の更なるキャリアに搭載され、該橋型の更なるキャリアは、前記第２の結合部材に搭載及び支持される第１の脚部と、前記下側のコイルシステムハウジングの前記第２の結合部材が存在する側とは反対側で転がり部材により支持される第２の脚部とを含むことを特徴とする。橋型の更なるキャリアは、更に、下側のコイルシステムハウジングの上の検査ボリューム内でガイド部材に対して実質的で安定した支持を提供する。
【００１０】
本発明による医療用撮像システムの更なる実施例は、前記ガイド部材が、前記下側のコイルシステムハウジングを跨ぐ橋型の更なるキャリアに搭載され、該橋型の更なるキャリアは、前記第２の結合部材に搭載及び支持される第１の脚部と、前記下側のコイルシステムハウジングの前記第２の結合部材が存在する側とは反対側に存在し、前記下側のコイルシステムハウジングの下方に延在する接続部材により前記第１の脚部に接続される第２の脚部とを含むことを特徴とする。接続部材は、橋型の更なるキャリアの剛性を著しく高める。
【００１１】
以下、本発明は、図面を参照して、医療システムの実施例の説明により詳説される。
【００１２】
図１に示す本発明による医療用撮像システムは、所謂開口型の磁気共鳴撮像システムであり、これにより、核磁気共鳴撮像方法を利用して患者の内臓の画像を生成できる。医療用撮像システムは、電気コイルシステムを収容する上側のコイルシステムハウジング３と下側のコイルシステムハウジング５を有するフレーム１を含む、コイルシステムは、図１に示されないが、図１に同様に示されない医療用撮像システムの撮像装置の一部であり、とりわけ知られているようなものでよい。下側のコイルシステムハウジング３及び上側のコイルシステムハウジング５の間には、患者が中に載置される検査ボリューム７が存在する。検査ボリューム７は、下側のコイルシステムハウジング３及び上側のコイルシステムハウジング５により鉛直方向Ｚで境界付けられている。下側のコイルシステムハウジング３及び上側のコイルシステムハウジング５は、フレーム１の比較的小さい断面の２本の鉛直柱９により相互接続されて、検査ボリューム７がその水平面の大部分で開放している。動作中、コイルシステムは、検査ボリューム７内に可変磁場及び無線周波数信号を生成する。コイルシステムにより生成される無線周波数信号に応答して、患者の身体は無線周波数信号を生成し、この無線周波数信号が、コイルシステムにより受信され、撮像装置により患者の身体の画像へと処理される。
【００１３】
医療用撮像システムは、患者支持部材１３、特に水平ベッドを更に含み、患者支持部材１３は、特に転がり部材１７により可動なトロリーである可動キャリア１５上に設けられる。可動キャリア１５は、第１の結合部材１９を備え、これにより、可動キャリア１５は、フレーム１に、特に下側のコイルシステムハウジング３の前側２３に、設けられる第２の結合部材２１に結合できる。患者支持部材１３は、可動キャリア１５上に設けられるので、患者が横になっている患者支持部材１３は、医療用撮像システムから、例えば患者が検査前に準備を行う別の準備室へと、若しくは、続く検査若しくは処置を受けるための他の医療用検査若しくは処置装置へと移送できる。好ましくは、医療用撮像システムは、別の患者支持部材１３をそれぞれ備える少なくとも２つの可動キャリア１５を含む。このようにして、第２の患者は、第１の患者の検査中に準備でき、第１の患者の検査後、第１の患者を運ぶ患者支持部材１３を備える可動キャリア１５が医療用撮像システムから外され、離れる方向に移動され、一方、第２の患者を運ぶ患者支持部材１３を備える可動キャリア１５が移動され医療用撮像システムに速やかに結合される。この結果、医療用撮像システムを効率的に使用できる。
【００１４】
図１に概略的にしか示されていないが、第１の結合部材１９及び第２の結合部材２１によって、可動キャリア１５は、下側のコイルシステムハウジング３と機械的に結合及び非結合となることができ、可動キャリア１５上に設けられる患者支持部材１３を、フレーム１及び撮像装置に対して所定の安定した位置に至らせることができる。この目的のため、第１の結合部材１９及び第２の結合部材２１は、以下で詳説しない従来的な機械的結合手段を備えることができる。好ましくは、第１の結合部材１９及び第２の結合部材２１は、可動キャリア１５と撮像装置との間に電気的接続を含む。このようにして、可動キャリア１５若しくは患者支持部材１３に、患者に関する情報を記憶できる電気的メモリを備えることができ、当該情報は、上記電気的接続を介して上記メモリと撮像装置との間で交換できる。更に、可動キャリア１５若しくは患者支持部材１３の電気システムに給電するため可動キャリア１５に設けられてよいバッテリが、上記電気的接続を介して充電できる。
【００１５】
図１に示すような可動キャリア１５の結合位置では、患者が上に横たわっている患者支持部材１３は、患者支持部材１３が可動キャリア１５により完全に支持されている図１に示す第１の位置から、患者支持部材１３が検査ボリューム７内に存在する図２に示す第２の位置まで、可動キャリア１５に対して且つフレーム１に対して第１の水平方向Ｘに動くことができる。この目的のため、可動キャリア１５は、第１のガイド部材２５を備え、第１のガイド部材２５は、可動キャリア１５の結合状態で、第１の水平方向Ｘに延在し、患者支持部材１３に設けられるガイド要素２７と協働する。フレーム１は、第２のガイド部材２９を備え、第２のガイド部材２９は、検査ボリューム７内に存在し、第１の水平方向Ｘに延在し、可動キャリア１５の結合状態で、第１のガイド部材２５と適合する。可動キャリア１５は、検査ボリューム７内へと、患者の検査後、検査ボリューム７内から、第１のガイド部材２５及び第２のガイド部材２９に沿って水平ベッド１３を移動させる第１の移動装置を更に含む。第１の移動装置は、従来タイプのものであってよく、例えば、図２に示すように、細長いプッシュプル部材３１を備えてよく、プッシュプル部材３１は、患者支持部材１３に固定され、可動キャリア１５内に設けられる電気モータにより駆動される。患者支持部材１３が検査ボリューム７内に第１の移動装置により移動されるとき、可動キャリア１５の第１のガイド部材２５の案内及び支持機能が、第２のガイド部材２９に引き継がれる。患者支持部材１３が検査ボリューム７から出された時、第２のガイド部材２９の案内及び支持機能が、第１のガイド部材２５に引き継がれる。
【００１６】
図３に示すように、医療用撮像システムは、第２の移動装置３３を更に含み、これにより、患者支持部材１３は、可動キャリア１５の結合状態で、第１の水平方向Ｘを横断する第２の水平方向Ｙでフレーム１及び撮像装置に対して移動することができる。患者を第２の水平方向Ｙで撮像装置に対して移動させることによって、検査される患者の身体の部位を、撮像装置に対して正確な位置に至らせることができる。図３に示すように、比較的大きな患者支持部材１３の撮像装置に対する第２の水平方向Ｙでの移動が、検査ボリューム７がその水平面の大部分で開放しているという事実により可能となる。その結果、比較的狭い円筒形の検査ボリュームを有する所謂閉塞型の磁気共鳴撮像装置に比して、患者の身体を撮像装置に対してより正確な位置に至らせることができる。
【００１７】
患者支持部材１３を、フレーム１及び撮像装置に対して第２の水平方向Ｙに安定的な態様で且つ比較的大きな距離に亘って移動可能とするため、フレーム１に対して第２の結合部材２１を第２の水平方向Ｙに移動させる第２の移動装置３３が、フレーム１上に、特に下側のコイルシステムハウジング３内に、設けられる。図３は、波線により下側のコイルシステムハウジング３内での第２の移動装置３３の位置を概略的に示す。図４は、第２の移動装置３３の主要部を概略的に示す。第２の移動装置３３は、直線のガイド部材３５を含み、直線のガイド部材３５は、第２の水平方向Ｙに延在し、下側のコイルシステムハウジング３に固定されるフレーム部材３７に搭載される。第２の結合部材２１は、図４には概略的にしか示されていないが、直線のガイド部材３５と協働するガイド要素３９を含む。第２の移動装置３３は、更にスピンドル４１を含み、スピンドル４１は、第２の水平方向Ｙに延在し、図４には示されないスクリューネジを備える。スピンドル４１の第１の端部４３及び第２の端部４５は、それぞれ第１のベアリングブッシュ４７及び第２のベアリングブッシュ４９により軸支され、双方のブッシュは、フレーム３７に搭載されている。第３のベアリングブッシュ５１は、スピンドル４１のスクリューネジと協働する内部スクリューネジを含み、第２の結合部材２１に搭載される。第２の移動装置３３は、フレーム部材３７に搭載される電気モータ５３を更に含み、電気モータ５３は、スピンドル４１の第１の端部４３に搭載されるギアホイール５５を駆動する。ギアホイール５５が電気モータ５３により駆動されるとき、第２の結合部材２１は、第３のベアリングブッシュ５１とスピンドル４１との間のスクリューネジの協働の結果、直線のガイド部材３５に沿って移動される。
【００１８】
第２の移動装置３３の上述の構成により、患者支持部材１３のフレーム１に対する第２の水平方向Ｙの移動は、第２の結合部材２１に機械的に結合される可動キャリア１５と患者支持部材１３と共に第２の結合部材２１を第２の水平方向Ｙで第２の移動装置３３により移動させることによって、可動キャリア１５の結合状態で実現される。この結果、可動キャリア１５は、可動キャリア１５に対して第２の水平方向Ｙで患者支持部材１３を移動させる追加の移動装置を備える必要がなく、患者支持部材１３は、第２の水平方向Ｙに見て、可動キャリア１５に対して固定の中央位置に搭載及び保持されることができる。この結果、患者の重心は、患者支持部材１３の第２の水平方向Ｙの移動中、第２の水平方向Ｙに見て、常に転がり部材１７に対して中央位置に維持されるので、患者支持部材１３は、フレーム１に対して第２の水平方向Ｙで安定した態様で移動される。患者支持部材１３をフレーム１に対して第２の水平方向Ｙで移動できる最大の距離は、第２の水平方向Ｙの可動キャリア１５の寸法により制限されるのではなく、スピンドル４１の長さによって決定され、患者支持部材１３が、検査ボリューム７の寸法により可能とされる比較的大きな距離に亘ってＹ方向にフレーム１に対して移動できるようにする。転がり部材１７は、第２の移動装置３３による第２の水平方向Ｙでの可動キャリア１５の移動中、可動キャリア１５及び患者支持部材１３に対して安定した支持を提供する。第２の水平方向Ｙでの移動中の可動キャリア１５の安定性は、第１の結合部材１９及び第２の結合部材２１が、床面に可能な程度に近くに、即ち転がり部材１７が位置する仮想水平面に可能な程度に近くに設けられるという事実により更に高められる。その結果、第２の移動装置３３による可動キャリア１５の移動中の結合部材１９，２１を介して可動キャリア１５に加わる力に由来する機械的なモーメントであって、可動キャリア１５の不安定性を引き起こすモーメントは、可能な限り制限されることになる。第２の移動装置３３は、可動キャリア１５でなくフレーム１に設けられるので、可動キャリア１５の構造が比較的簡易である。これは、２以上の可動キャリア１５を備え、動キャリア１５のそれぞれが、フレーム１に選択的に結合できる別個の患者支持部材１３を備える、本発明による医療用撮像システムの実施例において特に有効である。
【００１９】
図１に示すように、検査ボリューム７内で患者支持部材１３を案内及び支持する第２のガイド部材２９は、検査ボリューム７内に存在し、下側のコイルシステムハウジング３を跨ぐ橋型の更なるキャリア５７に設けられる。橋型の更なるキャリア５７は、図５に別個示されているが、下側のコイルシステムハウジング３の前側２３に位置し、湾曲した支持部材６１を含む第１の略鉛直な脚部５９と、下側のコイルシステムハウジング３の前側２３とは反対の後側に位置し、湾曲した支持部材６５を含む第２の略鉛直な脚部６３とを含む。第２のガイド部材２９の第１の端部６７及び第２の端部６９は、それぞれ、湾曲した支持部材６１及び湾曲した支持部材６５に搭載される。第１の脚部５９の下端部は、第２の脚部６３の下端部に、水平な板状の接続部材７１により接続され、接続部材７１は、図３に示すフレーム１の足７５と下側のコイルシステムハウジング３との間に存在するキャップ型開口７３内で下側のコイルシステムハウジング３の下方に延在する。従って、橋型の更なるキャリア５７は、比較的高い剛性を有する。
【００２０】
図１及び図５に示すように、第１の脚部５９は、図５に概略的に示すように、第２の結合部材２１に搭載及び支持される。その結果、橋型の更なるキャリア５７及び第２のガイド部材２９は、第２の結合部材２１に対して固定位置に配設されるので、第２のガイド部材２９は、第２の結合部材２１に結合された患者支持部材１３及び可動キャリア１５と共に、第２の水平方向Ｙに第２の移動装置３３によって移動される。その結果、第２のガイド部材２９は、第２の水平方向Ｙで、可動キャリア１５の移動中、可動キャリア１５に対して正確な位置、即ち、第２のガイド部材２９が可動キャリア１５に設けられる第１のガイド部材２５と整合する位置に保たれる。更に、可動キャリア１５がフレーム１へと移動され結合された時、第１のガイド部材２５は、第２の結合部材２１の第２の水平方向Ｙの位置に拘らず、第２のガイド部材２９と整合する正確な位置に常に至る。結果として、可動キャリア１５は、第２の結合部材２１に結合でき、患者支持部材１３が、続いて、第２の水平方向Ｙで見て、第２の結合部材２１の各考えられる位置で、検査ボリューム７内に移動できる。更に、患者支持部材１３は、第２の水平方向Ｙで見て検査ボリューム７内の患者支持部材１３の各考えられる位置で、検査ボリューム７から出ることができ、次いで、可動キャリア１５が、第２の結合部材２１から離脱することができる。尚、板状の接続部材７１は、転がり部材のような、ギャップ型の開口７３内で接続部材７１を支持及びガイドする手段を備えてよい。
【００２１】
図６は、本発明による医療用撮像システムの代替実施例の第２のガイド部材２９を支持する橋型キャリア７７を示す。当該代替実施例は、橋型キャリア７７以外は、図１に示すような医療用撮像システムと実質的に同一である。橋型キャリア７７は、水平な板状の支持部材７９を含み、支持部材７９には、下側のコイルシステムハウジング３の前側２３に位置する略鉛直な第１の脚部８１、及び、下側のコイルシステムハウジング３の前側２３とは反対の後側に位置する略鉛直な第２の脚部８３が設けられる。第１の脚部８１は、第２の結合部材２１に搭載及び支持され、第２の脚部８３は、ガイド面８７上を転がり部材８５により支持及びガイドされ、ガイド面８７は、フレーム１の足７５に設けられ、第２の水平方向Ｙに延在する。
【００２２】
上述のような本発明による医療用撮像システムは、所謂開口型の磁気共鳴撮像システムである。尚、本発明は、比較的狭い円筒形の検査ボリュームを有する所謂閉塞型の磁気共鳴撮像システムも含む。かかる狭い円筒形の検査ボリュームは、第２の水平方向Ｙで患者支持部材の限られた移動しか許容しないが、本発明は、２以上の可動キャリア１５を備え、動キャリア１５のそれぞれが、フレームに選択的に結合できる別個の患者支持部材を備える閉塞型システムに対して依然として有効である。尚、本発明は、例えばＸ線やＣＴ撮像システムのような、磁気共鳴撮像システム以外の異なる種類の医療用撮像システムをも含む。
【００２３】
更に、本発明は、第２の水平方向Ｙに第２の結合部材２１を移動させる第２の移動装置が、図４に示す移動装置３３と異なる種類のものである実施例をも含む。第２の移動装置は、例えば、フレーム１に搭載される歯の付いたバーと、歯の付いたバーと協働し、第２の結合部材２１に搭載される電気モータにより駆動される歯の付いたホイールとを備えてもよい。最後に、本発明は、結合部材１９，２１が図１に示す床面に近い鉛直位置とは異なる鉛直位置に配置される実施例をも含む。
【図面の簡単な説明】
【００２４】
【図１】本発明による医療用撮像システムを示す図である。
【図２】システムの患者支持部材がシステムの検査ボリュームに存在する本発明による医療用撮像システムを示す図である。
【図３】図１の医療用撮像システムの正面図である。
【図４】図１の医療用撮像システムの移動装置を概略的に示す図である。
【図５】図１の医療用撮像システムの橋型キャリアを概略的に示す図である。
【図６】図１の医療用撮像システムの代替実施例の橋型キャリアを概略的に示す図である。
【図１】
2005508692.tif 000003
【図２】
2005508692.tif 000004
【図３】
2005508692.tif 000005
【図４】
2005508692.tif 000006
【図５】
2005508692.tif 000007
【図６】
2005508692.tif 000008
【国際調査報告】
2005508692.tif 000009
2005508692.tif 000010
2005508692.tif 000011